(57)【要約】【課題】この発明の目的は、バリアフリーの状態にして本体を設置した場合でも、この本体内に雨水が浸入したりせず、しかも、設置時の作業性もよい避難用ハッチを提供することである。【解決手段】上記課題を解決するために、この発明は、開口部１１を備えた本体１２と、この本体１２にヒンジ部１３，１４を介して回動自在に設けた蓋部材１５とを備え、上記蓋部材１５を回動させることによって、上記開口部１１を開閉自在にした避難用ハッチにおいて、上記本体１２には、その開口部１１を囲む排水用凹部１８を設けるとともに、この排水用凹部１８内にヒンジ部１３を固定する一方、上記蓋部材１５を閉じた状態で、この蓋部材１５の上面１５ａと排水用凹部１８の外縁上部１８ａとがほぼ同じ高さになることを特徴とする。【選択図】図１
2005027982.tif 000002
【特許請求の範囲】
【請求項１】
開口部を備えた本体と、この本体にヒンジ部を介して回動自在に設けた蓋部材とを備え、上記蓋部材を回動させることによって、上記開口部を開閉自在にした避難用ハッチにおいて、上記本体には、その開口部を囲む排水用凹部を設けるとともに、この排水用凹部内にヒンジ部を固定する一方、上記蓋部材を閉じた状態で、この蓋部材の上面と排水用凹部の外縁上部とがほぼ同じ高さになることを特徴とする避難用ハッチ。
【請求項２】
開口部と排水用凹部との間に環状の凸部を設ける一方、蓋部材の下面であって、この蓋部材を閉じたときに上記凸部に対向する位置に、パッキンを環状に設けたことを特徴とする請求項１記載の避難用ハッチ。
【発明の詳細な説明】
【技術分野】
【０００１】
この発明は、ベランダなどに設置する避難用ハッチに関する。
【背景技術】
【０００２】
ベランダなどに設置する避難用ハッチとして、図３に示したものが従来から知られている（特許文献１）。
この従来の避難ハッチは、ベランダ等の床１に、本体２を埋め込むとともに、この本体２には、ヒンジ部９，１０を介して上蓋３と下蓋４とを開閉自在に取り付けている。
上記本体２の内壁には、ピン８を固定し、このピン８を介してクランク部材５を回動自在に取り付けている。このクランク部材５は、その一端にリンク部材６を回動自在に取り付けるとともに、その他端にターンバックル７を回動自在に取り付けている。そして、上記リンク部材６の他端を上記上蓋３に回動自在に取り付けるとともに、上記ターンバックル７の他端を下蓋４に回動自在に取り付けている。
【０００３】
上記のようにした避難ハッチは、例えば図示する全開の状態から、例えば上蓋３を図面時計方向に回動すると、クランク部材５も時計方向に回動する。クランク５部材が時計方向に回動すると、ターンバックル７が上方向に引き上げられる。したがって、下蓋４が閉じ方向である反時計方向に回動する。つまり、上蓋３を閉じると、それに連動して下蓋４も閉じるようにしている。
また、これら両蓋３，４を開くときには、上記上蓋３又は下蓋４のいずれか一方を、上記と反対方向に回動させる。このようにすると、クランク部材５が上記と反対方向に回動することによって、上蓋３又は下蓋４のいずれか他方が連動して開くことになる。
【０００４】
【特許文献１】実公平５−４１７０９号公報（図４）
【発明の開示】
【発明が解決しようとする課題】
【０００５】
上記のようにした避難用ハッチは、図示するように、建物のバリアフリー化の要請に応じて、その上蓋３の上面を、ベランダの床面とほぼ同じレベルにする場合がある。
ところが、上蓋３の上面とベランダの床面とをほぼ同レベルにすると、雨などが降った場合に、その雨水がベランダの床面から上蓋３と本体２との隙間を介して本体２内に侵入してしまう。そして、この本体２内に侵入した雨水は、その内部を伝わって下の階のベランダなどに漏れるため、下の階の住人等に迷惑がかかるという不都合が生じる。
【０００６】
また、本体２をベランダ等に設置する際、ベランダ側のコンクリートや、止水剤などが、ヒンジ部９に付着するおそれがあり、このようにヒンジ部９にコンクリート等が付着してしまうと、上蓋３の動きが悪くなったり、上蓋３が全く動かなくなったりする。したがって、設置時には、非常に気を使わなければならず、その分、作業性が悪いという問題もある。
この発明の目的は、バリアフリーの状態にして本体を設置した場合でも、この本体内に雨水が浸入したりせず、しかも、設置時の作業性もよい避難用ハッチを提供することである。
【課題を解決するための手段】
【０００７】
第１の発明は、開口部を備えた本体と、この本体にヒンジ部を介して回動自在に設けた蓋部材とを備え、上記蓋部材を回動させることによって、上記開口部を開閉自在にした避難用ハッチにおいて、上記本体には、その開口部を囲む排水用凹部を設けるとともに、この排水用凹部内にヒンジ部を固定する一方、上記蓋部材を閉じた状態で、この蓋部材の上面と排水用凹部の外縁上部とがほぼ同じ高さになることを特徴とする。
【０００８】
第２の発明は、上記第１の発明において、開口部と排水用凹部との間に環状の凸部を設ける一方、蓋部材の下面であって、この蓋部材を閉じたときに上記凸部に対向する位置に、パッキンを環状に設けたことを特徴とする。
【発明の効果】
【０００９】
第１の発明によれば、排水用凹部の外縁上部を、ベランダなどの床面と同じレベルにすれば、上蓋も床面と同じレベルになるので、バリアフリーの状態にすることができる。しかも、排水用凹部を開口部の周囲に設けたので、床面側から本体内に雨水が浸入するといった不都合も防止することができる。
また、排水用凹部内にヒンジ部を固定しているので、本体をベランダなどに設置する時に、コンクリートなどがヒンジ部に付着することがない。したがって、本体を設置するときの作業性を高めることができる。
【００１０】
第２の発明によれば、開口部と排水用凹部との間に環状の凸部を設ける一方、蓋部材の下面であって、この蓋部材を閉じたときに上記凸部に対向する位置に、パッキンを環状に設けているので、蓋部材を閉じると、この蓋部材と凸部との隙間がパッキンによって密閉される。したがって、蓋部材と本体との隙間から、雨水等が侵入することを確実に防止することができる。
【発明を実施するための最良の形態】
【００１１】
図１及び図２にこの発明の一実施形態を示す。
図１に示すように、本体１２には、開口部１１を形成している。そして、この開口部１１を備えた本体１２には、図２に示すように、２組のヒンジ部１３，１４を介して上側蓋部材１５を回動自在に取り付けている。この上側蓋部材１５は、この発明の蓋部材に相当するものであり、この上側蓋部材１５を回動させることによって、開口部１１の上部を開閉できるようにしている。
【００１２】
また、上記本体１２の下側には、ヒンジ部１６を介して下側蓋部材１７を回動自在に取り付けている。そして、この下側蓋部材１７を回動させることによって、開口部１１の下側を開閉できるようにしている。
なお、上記上側蓋部材１５と下側蓋部材１７は、リンク機構Ａによって連動するようにしているが、このリンク機構Ａについては後で詳しく説明する。
【００１３】
上記本体１２には、図２に示すように、その開口部１１を囲む排水用凹部１８を一体的に設けている。そして、この排水用凹部１８内に、上記ヒンジ部１３を固定するとともに、ヒンジ部１４を上側蓋部材１５に固定している。そして、これら両ヒンジ部１３，１４に、図示していない軸を挿入することによって、ヒンジ部１３とヒンジ部１４とを連結している。
【００１４】
また、上記排水用凹部１８の一部には、排出路１９を形成している。そして、この排出路１９を、図示していないベランダなどの排水口に連通させるようにしている。
さらに、上側蓋部材１５の排出路１９に対応する位置には、取っ手２２を固定している。この取っ手２２は、その上面が平らになっていて、上側蓋部材１５の上面１５ａと凹凸なく連続するようにしている。
【００１５】
一方、図１に示すように、排水用凹部１８は、その外縁上部１８ａを、閉じた状態における上側蓋部材１５の上面１５ａとほぼ同じ高さにしている。そのため、図示するように、床２０の表面に排出用凹部１８の外縁上部１８ａを一致させて本体１２を設置すると、上側蓋部材１５が閉じている状態で、この上側蓋部材１５の上面１５ａと床２０の表面とが一致する。つまり、床２０の表面に突出する部分のないバリアフリーの状態になる。
【００１６】
また、上記本体１２の開口部１１と排水用凹部１８との間には、環状の凸部２１を設けている。そして、上側蓋部材１５を閉じた状態で、上記凸部２１に対向する上側蓋部材１５の下面には、パッキン２３を環状に設けている。したがって、上側蓋部材１５を閉じると、上記パッキン２３によって、上側蓋部材１５と凸部２１との隙間が密閉されることになり、上側蓋部材１５と本体１２との隙間から、雨水等が侵入することを確実に防止できる。
【００１７】
次に、上側蓋部材１５と下側蓋部材１７とを連結するリンク機構Ａについて説明する。
上記リンク機構Ａは、本体１２の内壁に固定した軸２５に、回動片２６を回動自在に取り付けるとともに、この回動片２６上であって、軸２５と所定の間隔を維持した箇所に、第１連結部２７を設けている。この第１連結部２７には、第１リンク部材２８の一端を回動自在に取り付けている。また、この第１リンク部材２８の他端は、上側蓋部材１５の内面に設けたブラケット２９に回動自在に取り付けている。
【００１８】
上記回動片２６上であって、軸２５と第１連結部２７とを結ぶ仮想線Ｓを挟んで図面右側に突起３０を設けるとともに、この突起３０とは反対側に第２連結部３１を設けている。この第２連結部３１には第２リンク部材３２の一端を回動自在に取り付けているが、この第２リンク部材３２の他端には、第３リンク部材３３の一端を回動自在に取り付けている。さらに、この第３リンク部材３３の他端は、下側蓋部材１７に設けたブラケット３４に回動自在に取り付けている。
【００１９】
このようにしたリンク機構Ａは、例えば、上側蓋部材１５と下側蓋部材１７とが閉じた状態から、上側蓋部材１５を開くと、第１リンク部材２８が、第１連結部２７を中心に立ち上がるようにして回動する。この第１リンク部材２８の回動に伴って、回動片２６も軸２５を中心にして時計回り方向に回動する。そして、この回動片２６の回動に伴って、第２，第３リンク部材３２，３３が所定の方向に回動し、下側蓋部材１７が開くことになる。
【００２０】
上記実施形態によれば、排水用凹部１８の外縁上部１８ａを、閉じた状態の上側蓋部材１５の上面１５ａとほぼ同じ高さにしているので、床２０の表面に外縁上部１８ａを一致させた状態で本体１２をベランダなどに設置すれば、上側蓋部材１５を閉じた状態で、その上面１５ａと床２０の表面とが一致する。したがって、床２０の表面に突出する部分がないバリアフリーの状態にできる。しかも、上記本体１２の開口部１１の周囲には、排水用凹部１８を一体的に設けているので、この排水用凹部１８を介して雨水などを外部に排出することができ、開口部１１に雨水等が侵入するといった不都合を防止できる。
【００２１】
また、排水用凹部１８内に、ヒンジ部１３，１４を設けているので、本体１２をベランダ等に設置するときに、これらヒンジ部１３，１４にベランダ側のコンクリートや止水剤などが付着することがない。したがって、ベランダなどに本体１２を設置するときに、ヒンジ部１３，１４にそれほど気を配る必要がなくなり、その分、作業性を高めることができる。
【図面の簡単な説明】
【００２２】
【図１】実施形態の断面図である。
【図２】実施形態の平面図である。
【図３】従来例の断面図である。
【符号の説明】
【００２３】
１１  開口部
１２  本体
１３，１４  ヒンジ部
１５  蓋部材
１５ａ  上面
１８  排水用凹部
１８ａ  外縁上部
２１  凸部
２３  パッキン
【図１】
2005027982.tif 000003
【図２】
2005027982.tif 000004
【図３】
2005027982.tif 000005